(57)【要約】少なくとも１つの物品を保持するカートン。カートンは、カートンの内部の周囲に少なくとも部分的に延びる複数のパネルと、複数のパネルのそれぞれのパネルにそれぞれ折り曲げ可能に接続されている、カートンの少なくとも１つの閉鎖端部を閉鎖する複数の端部フラップとを備える。カートンは、カートンの頂部とカートンの底部との間に延びるとともに、カートンの頂部及び底部のうちの一方における第１の形状と、カートンの頂部及び底部のうちの他方における第２の形状との間で遷移する、少なくとも１つの非対称的なコーナーを備える。【選択図】図１
2019531989.tif 000002
【特許請求の範囲】
【請求項１】
少なくとも１つの物品を保持するカートンであって、該カートンは、
該カートンの内部の周囲に少なくとも部分的に延在する複数のパネルと、
前記複数のパネルのそれぞれのパネルにそれぞれ折り曲げ可能に接続されている、該カートンの少なくとも１つの閉鎖端部を閉鎖する複数の端部フラップと、
を備え、該カートンは、該カートンの頂部と該カートンの底部との間に延びるとともに、該カートンの前記頂部及び前記底部のうちの一方における第１の形状と、該カートンの前記頂部及び前記底部のうちの他方における第２の形状との間で遷移する、少なくとも１つの非対称的なコーナーを備える、カートン。
【請求項２】
前記第１の形状は、湾曲形状であり、前記第２の形状は、直角形状である、請求項１に記載のカートン。
【請求項３】
前記カートンは、該カートンの前記頂部と該カートンの前記底部との間に延びる、少なくとも１つの対称的なコーナーを備える、請求項２に記載のカートン。
【請求項４】
前記少なくとも１つの対称的なコーナーは、直角形状を有する、請求項３に記載のカートン。
【請求項５】
前記少なくとも１つの非対称的なコーナーは、複数の折り線を有する、請求項１に記載のカートン。
【請求項６】
前記複数の折り線は、少なくとも１つのＶ字形状で配置される、請求項５に記載のカートン。
【請求項７】
前記少なくとも１つのＶ字形状は、頂点において第２の斜め折り線と交差する第１の斜め折り線を含む、請求項６に記載のカートン。
【請求項８】
前記少なくとも１つの非対称的なコーナーは、前記複数のパネルのうちの少なくとも１つのパネルと、前記複数の端部フラップのうちの少なくとも１つの端部フラップとの間のコーナーセクションから形成され、該コーナーセクションは、前記第１の斜め折り線において前記少なくとも１つのパネルに折り曲げ可能に接続されており、前記コーナーセクションは、前記第２の斜め折り線において前記少なくとも１つの端部フラップに折り曲げ可能に接続されている、請求項７に記載のカートン。
【請求項９】
前記少なくとも１つのＶ字形状は、複数の入れ子状のＶ字形状を含む、請求項６に記載のカートン。
【請求項１０】
前記複数のパネルは、少なくとも１つのトップパネルと、少なくとも１つのボトムパネルと、第１のサイドパネルと、第２のサイドパネルとを含み、前記カートンの前記少なくとも１つの閉鎖端部は、第２の閉鎖端部に対向する第１の閉鎖端部を含み、前記第１の閉鎖端部及び前記第２の閉鎖端部は、前記第１のサイドパネルと前記第２のサイドパネルとの間にそれぞれ配置される、請求項１に記載のカートン。
【請求項１１】
前記少なくとも１つの非対称的なコーナーは、前記第１のサイドパネルと前記第１の閉鎖端部との間の第１の非対称的なコーナーと、前記第１のサイドパネルと前記第２の閉鎖端部との間の第２の非対称的なコーナーと、前記第２のサイドパネルと前記第１の閉鎖端部との間の第３の非対称的なコーナーと、前記第２のサイドパネルと前記第２の閉鎖端部との間の第４の非対称的なコーナーとを含む、請求項１０に記載のカートン。
【請求項１２】
前記第１の形状は、湾曲形状であり、前記第２の形状は、直角形状である、請求項１１に記載のカートン。
【請求項１３】
前記第１の非対称的なコーナー、前記第２の非対称的なコーナー、前記第３の非対称的なコーナー、及び前記第４の非対称的なコーナーのうちの少なくとも１つは、前記少なくとも１つのトップパネルに隣接するそれぞれの前記第１の形状を有する、請求項１２に記載のカートン。
【請求項１４】
前記第１の非対称的なコーナー、前記第２の非対称的なコーナー、前記第３の非対称的なコーナー、及び前記第４の非対称的なコーナーのうちの少なくとも１つは、前記少なくとも１つのトップパネルに隣接するそれぞれの前記第２の形状を有する、請求項１３に記載のカートン。
【請求項１５】
前記少なくとも１つの非対称的なコーナーは、前記第１のサイドパネルと前記第１の閉鎖端部及び前記第２の閉鎖端部のうちの一方との間の第１の非対称的なコーナーと、前記第２のサイドパネルと前記第１の閉鎖端部及び前記第２の閉鎖端部のうちの一方との間の第２の非対称的なコーナーとを含み、前記カートンは、前記第１のサイドパネルと前記第１の閉鎖端部及び前記第２の閉鎖端部のうちの一方との間の第１の対称的なコーナーと、前記第２のサイドパネルと前記第１の閉鎖端部及び前記第２の閉鎖端部のうちの一方との間の第２の対称的なコーナーとを備える、請求項１０に記載のカートン。
【請求項１６】
前記第１の形状は、湾曲形状であり、前記第２の形状は、直角形状であり、前記第１の対称的なコーナー及び前記第２の対称的なコーナーのそれぞれは、直角形状を有する、請求項１５に記載のカートン。
【請求項１７】
前記少なくとも１つのトップパネルは、それぞれの前記少なくとも１つの非対称的なコーナーに隣接する少なくとも１つのコーナー部分を有し、前記少なくとも１つのトップパネルの前記少なくとも１つのコーナー部分は、前記第１の形状及び前記第２の形状のうちの一方に対して相補的な構成を有する、請求項９に記載のカートン。
【請求項１８】
前記少なくとも１つのボトムパネルは、それぞれの前記少なくとも１つの非対称的なコーナーに隣接する少なくとも１つのコーナー部分を有し、前記少なくとも１つのボトムパネルの前記少なくとも１つのコーナー部分は、前記第１の形状及び前記第２の形状のうちの他方に対して相補的な構成を有する、請求項１０に記載のカートン。
【請求項１９】
前記複数のパネルのうちの少なくとも１つのパネルは、引き裂き線によって画定されるディスペンサータブを備える、請求項１に記載のカートン。
【請求項２０】
前記ディスペンサータブは、前記少なくとも１つのトップパネルに折り曲げ可能に接続されている、請求項１９に記載のカートン。
【請求項２１】
前記複数の端部フラップのうちの少なくとも１つの端部フラップは、主要部分と、該主要部分に折り曲げ可能に接続されている近位延長部と、前記主要部分に折り曲げ可能に接続されている遠位延長部とを有する、請求項１に記載のカートン。
【請求項２２】
前記近位延長部及び前記遠位延長部は、前記少なくとも１つの物品に係合するように、前記カートンの前記内部に配置される、請求項２１に記載のカートン。
【請求項２３】
少なくとも１つの物品を保持するカートンを形成するブランクであって、該ブランクは、
該ブランクから形成される前記カートンの内部の周囲に少なくとも部分的に延びる複数のパネルと、
前記複数のパネルのそれぞれのパネルにそれぞれ折り曲げ可能に接続されている、該ブランクから形成される前記カートンの少なくとも１つの閉鎖端部を閉鎖する複数の端部フラップと、
該ブランクから形成される前記カートンの頂部と該ブランクから形成される前記カートンの底部との間に延びる少なくとも１つの非対称的なコーナーを形成する、少なくとも１つのコーナーセクションであって、前記少なくとも１つの非対称的なコーナーは、該ブランクから形成される前記カートンの前記頂部及び前記底部のうちの一方における第１の形状と、該ブランクから形成される前記カートンの前記頂部及び前記底部のうちの他方における第２の形状との間で遷移する、少なくとも１つのコーナーセクションと、
を備える、ブランク。
【請求項２４】
前記第１の形状は、湾曲形状であり、前記第２の形状は、直角形状である、請求項２３に記載のブランク。
【請求項２５】
前記少なくとも１つのコーナーセクションは、第１の少なくとも１つのコーナーセクションであり、前記ブランクは、前記ブランクから形成される前記カートンの前記頂部と前記底部との間に延びる少なくとも１つの対称的なコーナーを形成する、第２の少なくとも１つのコーナーセクションを更に備える、請求項２４に記載のブランク。
【請求項２６】
前記少なくとも１つの対称的なコーナーは、直角形状を有する、請求項２５に記載のブランク。
【請求項２７】
前記少なくとも１つのコーナーセクションは、複数の折り線を含む、請求項２３に記載のブランク。
【請求項２８】
前記複数の折り線は、少なくとも１つのＶ字形状に配置される、請求項２７に記載のブランク。
【請求項２９】
前記少なくとも１つのＶ字形状は、頂点において第２の斜め折り線と交差する第１の斜め折り線を含む、請求項２８に記載のブランク。
【請求項３０】
前記少なくとも１つのコーナーセクションは、前記第１の斜め折り線において前記複数のパネルのうちの少なくとも１つのパネルに折り曲げ可能に接続されており、前記少なくとも１つのコーナーセクションは、前記第２の斜め折り線において前記複数の端部フラップのうちの少なくとも１つの端部フラップに折り曲げ可能に接続されている、請求項２９に記載のブランク。
【請求項３１】
前記少なくとも１つのＶ字形状は、複数の入れ子状のＶ字形状を含む、請求項２８に記載のブランク。
【請求項３２】
前記複数のパネルは、少なくとも１つのトップパネルと、少なくとも１つのボトムパネルと、第１のサイドパネルと、第２のサイドパネルとを含み、前記ブランクから形成される前記カートンの前記少なくとも１つの閉鎖端部は、第２の閉鎖端部に対向する第１の閉鎖端部を含み、前記第１の閉鎖端部及び前記第２の閉鎖端部は、前記ブランクから形成される前記カートンにおいて前記第１のサイドパネルと前記第２のサイドパネルとの間にそれぞれ配置される、請求項２３に記載のブランク。
【請求項３３】
前記少なくとも１つの非対称的なコーナーは、前記ブランクから形成される前記カートンにおける前記第１のサイドパネルと前記第１の閉鎖端部との間の第１の非対称的なコーナーと、前記ブランクから形成される前記カートンにおける前記第１のサイドパネルと前記第２の閉鎖端部との間の第２の非対称的なコーナーと、前記ブランクから形成される前記カートンにおける前記第２のサイドパネルと前記第１の閉鎖端部との間の第３の非対称的なコーナーと、前記ブランクから形成される前記カートンにおける前記第２のサイドパネルと前記第２の閉鎖端部との間の第４の非対称的なコーナーとを含む、請求項３２に記載のブランク。
【請求項３４】
前記第１の形状は、湾曲形状であり、前記第２の形状は、直角形状である、請求項３３に記載のブランク。
【請求項３５】
前記ブランクから形成される前記カートンにおける、前記第１の非対称的なコーナー、前記第２の非対称的なコーナー、前記第３の非対称的なコーナー、及び前記第４の非対称的なコーナーのうちの少なくとも１つは、前記少なくとも１つのトップパネルに隣接するそれぞれの前記第１の形状を有する、請求項３４に記載のブランク。
【請求項３６】
前記ブランクから形成される前記カートンにおける、前記第１の非対称的なコーナー、前記第２の非対称的なコーナー、前記第３の非対称的なコーナー、及び前記第４の非対称的なコーナーのうちの少なくとも１つは、前記少なくとも１つのトップパネルに隣接するそれぞれの前記第２の形状を有する、請求項３５に記載のブランク。
【請求項３７】
前記少なくとも１つの非対称的なコーナーは、前記ブランクから形成される前記カートンにおける前記第１のサイドパネルと前記第１の閉鎖端部及び前記第２の閉鎖端部のうちの一方との間の第１の非対称的なコーナーと、前記ブランクから形成される前記カートンにおける前記第２のサイドパネルと前記第１の閉鎖端部及び前記第２の閉鎖端部のうちの一方との間の第２の非対称的なコーナーとを含み、前記少なくとも１つのコーナーセクションは、第１の少なくとも１つのコーナーセクションであり、前記ブランクは、前記ブランクから形成される前記カートンにおける少なくとも１つの対称的なコーナーを形成する、第２の少なくとも１つのコーナーセクションを更に備え、前記少なくとも１つの対称的なコーナーセクションは、前記第１のサイドパネルと前記第１の閉鎖端部及び前記第２の閉鎖端部のうちの一方との間において、前記ブランクから形成される前記カートンの前記頂部と前記底部との間に延びる第１の対称的なコーナーと、前記第２のサイドパネルと前記第１の閉鎖端部及び前記第２の閉鎖端部のうちの一方との間において、前記ブランクから形成される前記カートンの前記頂部と前記底部との間に延びる第２の対称的なコーナーとを含む、請求項３２に記載のブランク。
【請求項３８】
前記第１の形状は、湾曲形状であり、前記第２の形状は、直角形状であり、前記第１の対称的なコーナー及び前記第２の対称的なコーナーのそれぞれは、前記ブランクから形成される前記カートンにおいて直角形状を有する、請求項３７に記載のブランク。
【請求項３９】
前記少なくとも１つのトップパネルは、それぞれの前記少なくとも１つの非対称的なコーナーに隣接する少なくとも１つのコーナー部分を有し、前記少なくとも１つのトップパネルの前記少なくとも１つのコーナー部分は、前記第１の形状及び前記第２の形状のうちの一方に対して相補的な構成を有する、請求項３２に記載のブランク。
【請求項４０】
前記少なくとも１つのボトムパネルは、前記ブランクから形成される前記カートンにおいてそれぞれの前記少なくとも１つの非対称的なコーナーに隣接する少なくとも１つのコーナー部分を有し、前記少なくとも１つのボトムパネルの前記少なくとも１つのコーナー部分は、前記第１の形状及び前記第２の形状のうちの他方に対して相補的な構成を有する、請求項３９に記載のブランク。
【請求項４１】
前記複数のパネルのうちの少なくとも１つのパネルは、引き裂き線によって画定されるディスペンサータブを備える、請求項２３に記載のブランク。
【請求項４２】
前記ディスペンサータブは、前記少なくとも１つのトップパネルに折り曲げ可能に接続されている、請求項４１に記載のブランク。
【請求項４３】
前記複数の端部フラップのうちの少なくとも１つの端部フラップは、主要部分と、該主要部分に折り曲げ可能に接続されている近位延長部と、前記主要部分に折り曲げ可能に接続されている遠位延長部とを有する、請求項２３に記載のブランク。
【請求項４４】
前記近位延長部及び前記遠位延長部は、前記少なくとも１つの物品に係合するように、前記ブランクから形成される前記カートンの前記内部に配置される、請求項４３に記載のブランク。
【請求項４５】
少なくとも１つの物品を保持するカートンを形成する方法であって、該方法は、
複数のパネルと、該複数のパネルのそれぞれのパネルにそれぞれ折り曲げ可能に接続されている複数の端部フラップと、少なくとも１つのコーナーセクションとを備えるブランクを得ることと、
前記カートンの内部の周囲に少なくとも部分的に延びるように前記複数のパネルを折り曲げるとともに、前記少なくとも１つのコーナーセクションを折り曲げて、前記カートンの頂部と前記カートンの底部との間に延びるとともに、前記カートンの前記頂部及び前記底部のうちの一方における第１の形状と、前記カートンの前記頂部及び前記底部のうちの他方における第２の形状との間で遷移する、少なくとも１つの非対称的なコーナーを形成することと、
前記複数の端部フラップを折り曲げて、前記カートンの少なくとも１つの閉鎖端部を形成することと、
を含む、方法。
【請求項４６】
前記第１の形状は、湾曲形状であり、前記第２の形状は、直角形状である、請求項４５に記載の方法。
【請求項４７】
前記少なくとも１つのコーナーセクションは、第１の少なくとも１つのコーナーセクションであり、前記ブランクは、第２の少なくとも１つのコーナーセクションを更に備え、前記複数のパネルを折り曲げることは、前記第２の少なくとも１つのコーナーセクションを折り曲げて、前記カートンの前記頂部と前記底部との間に延びる少なくとも１つの対称的なコーナーを形成することを更に含む、請求項４６に記載の方法。
【請求項４８】
前記少なくとも１つの対称的なコーナーは、直角形状を有する、請求項４７に記載の方法。
【請求項４９】
前記少なくとも１つのコーナーセクションは、複数の折り線を含む、請求項４５に記載の方法。
【請求項５０】
前記複数の折り線は、少なくとも１つのＶ字形状に配置される、請求項４９に記載の方法。
【請求項５１】
前記少なくとも１つのＶ字形状は、頂点において第２の斜め折り線と交差する第１の斜め折り線を含む、請求項５０に記載の方法。
【請求項５２】
前記少なくとも１つのコーナーセクションは、前記第１の斜め折り線において前記複数のパネルのうちの少なくとも１つのパネルに折り曲げ可能に接続されており、前記少なくとも１つのコーナーセクションは、前記第２の斜め折り線において前記複数の端部フラップのうちの少なくとも１つの端部フラップに折り曲げ可能に接続されている、請求項５１に記載の方法。
【請求項５３】
前記少なくとも１つのＶ字形状は、複数の入れ子状のＶ字形状を含む、請求項５０に記載の方法。
【請求項５４】
前記複数のパネルは、少なくとも１つのトップパネルと、少なくとも１つのボトムパネルと、第１のサイドパネルと、第２のサイドパネルとを含み、前記カートンの前記少なくとも１つの閉鎖端部は、第２の閉鎖端部に対向する第１の閉鎖端部を含み、前記第１の閉鎖端部及び前記第２の閉鎖端部は、前記第１のサイドパネルと前記第２のサイドパネルとの間にそれぞれ配置される、請求項４５に記載の方法。
【請求項５５】
前記少なくとも１つの非対称的なコーナーは、前記第１のサイドパネルと前記第１の閉鎖端部との間の第１の非対称的なコーナーと、前記第１のサイドパネルと前記第２の閉鎖端部との間の第２の非対称的なコーナーと、前記第２のサイドパネルと前記第１の閉鎖端部との間の第３の非対称的なコーナーと、前記第２のサイドパネルと前記第２の閉鎖端部との間の第４の非対称的なコーナーとを含む、請求項５４に記載の方法。
【請求項５６】
前記第１の形状は、湾曲形状であり、前記第２の形状は、直角形状である、請求項５５に記載の方法。
【請求項５７】
前記第１の非対称的なコーナー、前記第２の非対称的なコーナー、前記第３の非対称的なコーナー、及び前記第４の非対称的なコーナーのうちの少なくとも１つは、前記少なくとも１つのトップパネルに隣接するそれぞれの前記第１の形状を有する、請求項５６に記載の方法。
【請求項５８】
前記第１の非対称的なコーナー、前記第２の非対称的なコーナー、前記第３の非対称的なコーナー、及び前記第４の非対称的なコーナーのうちの少なくとも１つは、前記少なくとも１つのトップパネルに隣接するそれぞれの前記第２の形状を有する、請求項５７に記載の方法。
【請求項５９】
前記少なくとも１つの非対称的なコーナーは、前記第１のサイドパネルと前記第１の閉鎖端部及び前記第２の閉鎖端部のうちの一方との間の第１の非対称的なコーナーと、前記第２のサイドパネルと前記第１の閉鎖端部及び前記第２の閉鎖端部のうちの一方との間の第２の非対称的なコーナーとを含み、前記少なくとも１つのコーナーセクションは、第１の少なくとも１つのコーナーセクションであり、前記ブランクは、第２の少なくとも１つのコーナーセクションを更に備え、前記複数のパネルを折り曲げることは、前記第２の少なくとも１つのコーナーセクションを折り曲げて、少なくとも１つの対称的なコーナーを形成することを更に含み、少なくとも１つの対称的なコーナーは、前記第１のサイドパネルと前記第１の閉鎖端部及び前記第２の閉鎖端部のうちの一方との間の第１の対称的なコーナーと、前記第２のサイドパネルと前記第１の閉鎖端部及び前記第２の閉鎖端部のうちの一方との間の第２の対称的なコーナーとを含む、請求項５４に記載の方法。
【請求項６０】
前記第１の形状は、湾曲形状であり、前記第２の形状は、直角形状であり、前記第１の対称的なコーナー及び前記第２の対称的なコーナーのそれぞれは、直角形状を有する、請求項５９に記載の方法。
【請求項６１】
前記少なくとも１つのトップパネルは、それぞれの前記少なくとも１つの非対称的なコーナーに隣接する少なくとも１つのコーナー部分を有し、前記少なくとも１つのトップパネルの前記少なくとも１つのコーナー部分は、前記第１の形状及び前記第２の形状のうちの一方に対して相補的な構成を有する、請求項５４に記載の方法。
【請求項６２】
前記少なくとも１つのボトムパネルは、それぞれの前記少なくとも１つの非対称的なコーナーに隣接する少なくとも１つのコーナー部分を有し、前記少なくとも１つのボトムパネルの前記少なくとも１つのコーナー部分は、前記第１の形状及び前記第２の形状のうちの他方に対して相補的な構成を有する、請求項６１に記載の方法。
【請求項６３】
前記複数のパネルのうちの少なくとも１つのパネルは、引き裂き線によって画定されるディスペンサータブを備える、請求項４５に記載の方法。
【請求項６４】
前記ディスペンサータブは、前記少なくとも１つのトップパネルに折り曲げ可能に接続されている、請求項６３に記載の方法。
【請求項６５】
前記複数の端部フラップのうちの少なくとも１つの端部フラップは、主要部分と、該主要部分に折り曲げ可能に接続されている近位延長部と、前記主要部分に折り曲げ可能に接続されている遠位延長部とを有する、請求項４５に記載の方法。
【請求項６６】
前記近位延長部及び前記遠位延長部は、前記少なくとも１つの物品に係合するように、前記カートンの前記内部に配置される、請求項６３に記載の方法。
【発明の詳細な説明】
【技術分野】
【０００１】
［関連出願の相互参照］
本願は、２０１６年１１月２日付けで出願された米国仮特許出願第６２／４１６，２３１号の利益を主張する。
【０００２】
［参照による援用］
２０１６年１１月２日付けで出願された米国仮特許出願第６２／４１６，２３１号及び２０１６年１１月２日付けで出願された米国意匠特許出願第２９／５８３，０７２号の開示は、その全体が本開示に提示されているかのように全ての目的で引用することにより本明細書の一部をなす。
【０００３】
本開示は、包括的には、カートン、カートンを形成する関連のブランク、並びに、カートン及びブランクに係る方法に関する。より詳細には、本開示は、カートン、カートンを形成する関連のブランク、並びに、１つ以上の非対称的な形状のコーナー構造部を有するブランク及びカートンに係る方法に関する。
【発明の概要】
【０００４】
本開示の１つの態様によれば、少なくとも１つの物品を保持するカートンは、該カートンの内部の周囲に少なくとも部分的に延在する複数のパネルと、前記複数のパネルのそれぞれのパネルにそれぞれ折り曲げ可能に接続されている、該カートンの少なくとも１つの閉鎖端部を閉鎖する複数の端部フラップとを備える。該カートンは、該カートンの頂部と該カートンの底部との間に延びるとともに、該カートンの前記頂部及び前記底部のうちの一方における第１の形状と、該カートンの前記頂部及び前記底部のうちの他方における第２の形状との間で遷移する、少なくとも１つの非対称的なコーナーを備える。
【０００５】
本開示の別の態様によれば、少なくとも１つの物品を保持するカートンを形成するブランクは、該ブランクから形成される前記カートンの内部の周囲に少なくとも部分的に延在する複数のパネルと、前記複数のパネルのそれぞれのパネルにそれぞれ折り曲げ可能に接続されている、該ブランクから形成される前記カートンの少なくとも１つの閉鎖端部を閉鎖する複数の端部フラップとを備える。該ブランクは、該ブランクから形成される前記カートンの頂部と該ブランクから形成される前記カートンの底部との間に延びる少なくとも１つの非対称的なコーナーを形成する、少なくとも１つのコーナーセクションを更に備える。前記少なくとも１つの非対称的なコーナーは、該ブランクから形成される前記カートンの前記頂部及び前記底部のうちの一方における第１の形状と、該ブランクから形成される前記カートンの前記頂部及び前記底部のうちの他方における第２の形状との間で遷移する。
【０００６】
本開示の別の態様によれば、少なくとも１つの物品を保持するカートンを形成する方法は、複数のパネルと、該複数のパネルのそれぞれのパネルにそれぞれ折り曲げ可能に接続されている複数の端部フラップと、少なくとも１つのコーナーセクションとを備えるブランクを得ることを含む。該方法は、前記カートンの内部の周囲に少なくとも部分的に延びるように前記複数のパネルを折り曲げるとともに、前記少なくとも１つのコーナーセクションを折り曲げて、前記カートンの頂部と前記カートンの底部との間に延びるとともに、前記カートンの前記頂部及び前記底部のうちの一方における第１の形状と、前記カートンの前記頂部及び前記底部のうちの他方における第２の形状との間で遷移する、少なくとも１つの非対称的なコーナーを形成することを更に含む。該方法は、前記複数の端部フラップを折り曲げて、前記カートンの少なくとも１つの閉鎖端部を形成することを更に含む。
【０００７】
当業者は、添付図面を参照して実施形態の以下の詳細な説明を読むことによって、上記の利点、並びに種々の更なる実施形態の他の利点及び利益を理解するであろう。個々に、また様々な組み合わせで与えられる上述の態様が本開示の範囲内にある。
【０００８】
慣例によれば、以下で説明する図面の種々の特徴は、必ずしも一定の縮尺比で描かれているとは限らない。図面における種々の特徴及び要素の寸法は、本開示の実施形態をより明確に示すために拡大又は縮小されている場合がある。
【図面の簡単な説明】
【０００９】
【図１】本開示の第１の例示的な実施形態に係るカートンを形成するブランクの平面図である。
【図２】第１の例示的な実施形態に係る図１のブランクから形成される、部分的に組み立てられたカートンの斜視図である。
【図３】第１の例示的な実施形態に係る図１のブランクから形成されるカートンの斜視図である。
【図４】図３のカートンの別の斜視図である。
【図５】図３のカートンの別の斜視図である。
【図６】図３のカートンの別の斜視図である。
【図７】本開示の第２の例示的な実施形態に係るカートンを形成するブランクの平面図である。
【図８】第２の例示的な実施形態に係る図７のブランクから形成される、部分的に組み立てられたカートンの斜視図である。
【図９】第２の例示的な実施形態に係る図７のブランクから形成されるカートンの斜視図である。
【図１０】図９のカートンの別の斜視図である。
【図１１】図９のカートンの別の斜視図である。
【図１２】図９のカートンの別の斜視図である。
【発明を実施するための形態】
【００１０】
対応する部分は、図面を通して対応する参照符号によって示されている。
【００１１】
本開示は概して、容器、ボトル、缶等のような物品を収容するカートンに関する。物品は、例えば、食品及び飲料製品を包装するのに用いることができる。物品は、特定の食品又は飲料製品を包装するのに適した材料から作ることができ、その材料は、ガラス、アルミニウム及び／又は他の金属、ＰＥＴ、ＬＤＰＥ、ＬＬＤＰＥ、ＨＤＰＥ、ＰＰ、ＰＳ、ＰＶＣ、ＥＶＯＨ、及びナイロン等のようなプラスチック、又はそれらの任意の組み合わせを含むが、これらに限定はされない。
【００１２】
本開示に係るカートンは、任意の形状の物品を収容することができる。本開示の範囲を限定することを目的とせず、説明することを目的として、以下の詳細な説明では、カートンの実施形態の中に配置される飲料用容器（例えば飲料用アルミニウム缶又はガラス瓶）について説明する。本明細書において、「下側」、「底部」、「上側」、及び「頂部」という用語は、完全に組み立てられて直立したカートンに関して決定される向きを示す。本明細書に記載されるように、カートンは、複数のパネル及び／又は端部フラップを重ね合わせることによって、ブランクから形成することができる。このようなパネル及び／又は端部フラップは、本明細書において、本開示から逸脱することなく、互いに関して、例えば「第１の」、「第２の」、「第３の」等と順序的に又は非順序的に言及して示すことができる。
【００１３】
図１は、本開示の第１の例示的な実施形態に係るカートン１００（図３）を形成するように得られたブランク１０２の外面１０１の平面図である。カートン１００は、ボトル又は缶等の複数の物品Ａ（図２）を保持するものであり、カートン１００は、本明細書において更に記載されるように、非対称な形状を有する１つ以上のコーナーを伴って構成されている。
【００１４】
図示のブランク１０２は、縦（長手方向）軸Ｌ１及び横軸Ｌ２を有する。図１に示されているように、ブランク１０２は、ボトムパネル１１０を備え、ボトムパネル１１０は、その側辺における横方向折り線１２２において、第１のサイドパネル１２０に折り曲げ可能に接続されている。ブランク１０２は、第２のサイドパネル１３０を備え、第２のサイドパネル１３０は、横方向折り線１３２において、ボトムパネル１１０の反対側の側辺に折り曲げ可能に接続されている。第１のトップパネルすなわち内側トップパネル１４０は、横方向折り線１４２において第１のサイドパネル１２０に折り曲げ可能に接続されており、第２のトップパネルすなわち外側トップパネル１５０は、横方向折り線１５２において第２のサイドパネル１３０に折り曲げ可能に接続されている。
【００１５】
図示のように、第１の端部フラップ１１４及び第２の端部フラップ１１６はそれぞれ、ボトムパネル１１０に折り曲げ可能に接続されており、第１の端部フラップ１２４及び第２の端部フラップ１２６はそれぞれ、第１のサイドパネル１２０に折り曲げ可能に接続されており、第１の端部フラップ１３４及び第２の端部フラップ１３６はそれぞれ、第２のサイドパネル１３０に折り曲げ可能に接続されており、第１の端部フラップ１５４及び第２の端部フラップ１５６はそれぞれ、外側トップパネル１５０に折り曲げ可能に接続されている。カートン１００（図３）が組み立てられると、端部フラップ１１４、１２４、１３４、１５４は、カートン１００の第１の端部１０７（図３）を閉鎖し、端部フラップ１１６、１２６、１３６、１５６は、カートン１００の第２の端部１０９（図３）を閉鎖する。本開示の代替的な実施形態によれば、カートン１００の端部１０７、１０９を少なくとも部分的に閉鎖するために、異なるフラップ構成、例えば、１つ以上の係止構造部を含むフラップ構成を用いることができる。
【００１６】
図示の実施形態において、端部フラップ１１４、１２４、１３４、１５４は、概ねブランク１０２の第１の周縁領域に沿って延び、端部フラップ１１６、１２６、１３６、１５６は、概ねブランク１０２の第２の周縁領域に沿って延びる。図示のように、端部フラップ１１４及び１１６は、それぞれの縦方向折り線１０３、１０４においてボトムパネル１１０に折り曲げ可能に接続されており、端部フラップ１５４、１５６は、それぞれの縦方向折り線１０５、１０６において外側トップパネル１５０に折り曲げ可能に接続されている。本明細書に記載される折り線は、例えば、実質的に直線状とすることもできるし、ブランクの厚さ及び他の要因を考慮して１つ以上の位置においてオフセットすることもできる。
【００１７】
図１を更に参照すると、端部フラップ１２４は、複数の折り線１２５において第１のサイドパネル１２０に折り曲げ可能に接続されている。図示のように、複数の折り線１２５は、入れ子状であるが縦方向に離間した一連のＶ字形折り線１２１、１２３、１２８、１２９を含み、Ｖ字形折り線のそれぞれは、ボトムパネル１１０から離れる方に向けられたそれぞれの頂点７２、７４、７６、７８を有する。図示のように、Ｖ字形折り線１２１は、頂点７２において交差する斜め折り線１２１ａ、１２１ｂを含み、Ｖ字形折り線１２３は、頂点７４において交差する斜め折り線１２３ａ、１２３ｂを含み、Ｖ字形折り線１２８は、頂点７６において交差する斜め折り線１２８ａ、１２８ｂを含み、Ｖ字形折り線１２９は、頂点７８において交差する斜め折り線１２９ａ、１２９ｂを含む。本明細書で更に記載されるように、複数の折り線１２５は、カートン１００のコーナー構造部又はコーナー１９２（図５）の形成を容易にする。特に、最も外側のＶ字形折り線１２１は、カートン１００のコーナー１９２を形成するブランク１０２のコーナーセクション９０を規定することができる。図示のように、コーナーセクション９０は、斜め折り線１２１ｂにおいて第１のサイドパネル１２０に折り曲げ可能に接続されており、コーナーセクション９０は、斜め折り線１２１ａにおいて端部フラップ１２４に折り曲げ可能に接続されている。
【００１８】
また、端部フラップ１２６は、複数の折り線１２７において第１のサイドパネル１２０に折り曲げ可能に接続されている。図示のように、複数の折り線１２７は、Ｖ字形折り線７０として構成されている、ボトムパネル１１０に向けられた頂点６８において交差する斜め折り線７０ａ、７０ｂを含む。これに関して、複数の折り線１２７は、本開示から逸脱することなく、複数の折り線１２５とは異なる数の、例えばより少数の折り線を含むことができる。他の実施形態において、複数の折り線１２７は、複数の折り線１２５と同様の数の又はより多数の折り線を含むことができる。本明細書で更に記載されるように、複数の折り線１２７は、カートン１００のコーナー構造部又はコーナー１８８（図４）の形成を容易にする。特に、複数の折り線１２７は、カートン１００のコーナー１８８を形成するブランク１０２のコーナーセクション９２を画定することができる。図示のように、コーナーセクション９２は、斜め折り線７０ａにおいて第１のサイドパネル１２０に折り曲げ可能に接続されており、コーナーセクション９２は、斜め折り線７０ｂにおいて端部フラップ１２６に折り曲げ可能に接続されている。
【００１９】
図１を続けて参照すると、端部フラップ１３４は、複数の折り線１３５において第２のサイドパネル１３０に折り曲げ可能に接続されている。図示のように、複数の折り線１３５は、入れ子状の一連のＶ字形折り線１３１、１３３、１３８、１３９を含み、Ｖ字形折り線のそれぞれは、ボトムパネル１１０に向けられたそれぞれの頂点８２、８４、８６、８８を有する。図示のように、Ｖ字形折り線１３１は、頂点８２において交差する斜め折り線１３１ａ、１３１ｂを含み、Ｖ字形折り線１３３は、頂点８４において交差する斜め折り線１３３ａ、１３３ｂを含み、Ｖ字形折り線１３８は、頂点８６において交差する斜め折り線１３８ａ、１３８ｂを含み、Ｖ字形折り線１３９は、頂点８８において交差する斜め折り線１３９ａ、１３９ｂを含む。本明細書で更に記載されるように、複数の折り線１３５は、カートン１００のコーナー構造部又はコーナー１９６（図６）の形成を容易にする。特に、最も外側のＶ字形折り線１３１は、カートン１００のコーナー１９６を形成するブランク１０２のコーナーセクション９４を画定することができる。図示のように、コーナーセクション９４は、斜め折り線１３１ｂにおいて第２のサイドパネル１３０に折り曲げ可能に接続されており、コーナーセクション９４は、斜め折り線１３１ａにおいて端部フラップ１３４に折り曲げ可能に接続されている。
【００２０】
また、端部フラップ１３６は、複数の折り線１３７において第２のサイドパネル１３０に折り曲げ可能に接続されている。図示のように、複数の折り線１３７は、本明細書に更に記載されるように、外側トップパネル１５０に向けられた頂点６４を有する単一のＶ字形折り線６６として構成されている、斜め折り線６６ａ、６６ｂを含む。これに関して、複数の折り線１３７は、本開示から逸脱することなく、複数の折り線１３５とは異なる数の折り線、例えばより少数の折り線を含むことができる。他の実施形態において、複数の折り線１３７は、複数の折り線１３５と同様の数の又はより多数の折り線を含むことができる。本明細書で更に記載されるように、複数の折り線１３７は、カートン１００のコーナー構造部又はコーナー１８５（図３）の形成を容易にする。特に、複数の折り線１３７は、カートン１００のコーナー１８５を形成するブランク１０２のコーナーセクション９６を画定することができる。図示のように、コーナーセクション９６は、斜め折り線６６ａにおいて第２のサイドパネル１３０に折り曲げ可能に接続されており、コーナーセクション９６は、斜め折り線６６ｂにおいて端部フラップ１３６に折り曲げ可能に接続されている。
【００２１】
また、第２のサイドパネル１３０は、図示されているように、ディスペンサータブ１４１を備えることができる。ディスペンサータブ１４１は、例えば、ディスペンサータブ１４１を第２のサイドパネル１３０から分離して、ブランク１０２から形成されるカートン１００（図３）の内部１０８（図２）への穴を画定することができるように、引き裂き線８０等の切れ目線、引き裂き線、又はミシン目によって少なくとも部分的に画定される、第２のサイドパネル１３０の一部とすることができる。ディスペンサータブ１４１は、図示のように、ディスペンサータブ１４１を、ブランク１０２の一部に折り曲げ可能に接続されたまま内方に押す又は外方に引くことができるように、折り線１５２の一部において外側トップパネル１５０に折り曲げ可能に接続することができる。実施形態において、ディスペンサータブ１４１は、ブランク１０２から完全に分離可能とすることができる。ディスペンサータブ１４１は、例えば、カートン１００の内部（図２）にアクセスするために、外側トップパネル１５０及び内側トップパネル１４０のうちの一方又は双方をカートン１００の残りの部分から引き裂くために、使用者が手を係合させる領域を提供することができる。
【００２２】
ボトムパネル１１０は、図示のように、コーナー部分１６２、１６４、１６６及び１６８を有する、ブランク１０２の略四辺形のセクションである。コーナー部分１６２及び１６６は、全体として湾曲形状、例えば丸形状を有し、コーナー部分１６４及び１６８は、全体として直角形状、例えば、垂直すなわち直交形状を有する。これに関して、対角線上にあるコーナー部分１６２、１６６及び１６４、１６８は、略同様の形状を有する。図示のように、コーナー部分１６４は、Ｖ字形折り線１３１の頂点８２と実質的に交差し、コーナー部分１６８は、Ｖ字形折り線７０の頂点６８と実質的に交差する。
【００２３】
同様に、内側トップパネル１４０は、コーナー部分１７０、１７２、１７４及び１７６を有する、ブランク１０２の略四辺形のセクションである。コーナー部分１７０及び１７６は、全体として湾曲形状、例えば、丸形状を有し、コーナー部分１７２は、全体として直角形状を有し、コーナー部分１７４は、全体として面取りされた形状、例えば、斜めに切り取られた（diagonal）形状を有する。図示のように、コーナー部分１７２は、Ｖ字形折り線１２１の頂点７２と実質的に交差する。
【００２４】
また、外側トップパネル１５０は、コーナー部分１７８、１８０、１８２及び１８４を有する、ブランク１０２の略四辺形のセクションである。コーナー部分１７８及び１８２は、全体として湾曲形状、例えば、丸形状を有し、コーナー部分１８０及び１８４は、全体として直角形状、例えば、垂直又は直交形状を有する。これに関して、対角線上にあるコーナー部分１７８、１８２及び１８０、１８４は、略同様の形状を有する。図示のように、コーナー部分１８４は、Ｖ字形折り線６６の頂点６４と実質的に交差する。また、コーナー部分１８４の近傍で、外側トップパネル１５０の内側部分に沿って、引き裂き線１５８を形成することができる。引き裂き線１５８を折り線１５２、１０６のうちの１つ以上につなげて、外側トップパネル１５０の一部をブランク１０２の残りの部分から分離するのを容易にすることができる。これに関して、外側トップパネル１５０の一部分１５９を、コーナー部分１８４と引き裂き線１５８との間に配置することができる。上記部分１５９は、外側トップパネル１５０の別の部分が除去された場合に、第２のサイドパネル１３０と端部フラップ１５６との間のジョイント又はブリッジとして機能することができる。
【００２５】
図示のように、ボトムパネル１１０及び外側トップパネル１５０は、端部フラップ１１４、１１６及び１５４、１５６をボトムパネル１１０及び外側トップパネル１５０の縦方向中心線からオフセットすることができるように、不規則な形状の側縁部を有する。例えば、端部フラップ１１４、１１６をボトムパネル１１０に折り曲げ可能に接続する折り線１０３、１０４は、それぞれの湾曲コーナー部分１６２、１６６の手前で終端することができる。同様に、端部フラップ１５４、１５６を外側トップパネル１５０に折り曲げ可能に接続する折り線１０５、１０６は、それぞれの湾曲コーナー部分１７８、１８２の手前で終端することができる。
【００２６】
図１を続けて参照するとともに、加えて図２を参照すると、ブランク１０２から形成されるカートン１００（図２）の部分的な組立てが示されている。このような組立ては、ボトムパネル１１０と、第１のサイドパネル１２０と、第２のサイドパネル１３０と、内側トップパネル１４０と、外側トップパネル１５０とを、折り線１２２、１３２、１４２、１５２において互いに対してカートン１００の内部１０８の周囲に折り曲げて、外側トップパネル１５０がカートン１００の頂部１４４にあり、ボトムパネル１１０がカートン１００の底部１４６にある状態で、図示のような端部が開放したスリーブを形成することを含むことができる、例示的な方法によって達成することができる。図示の構成において、外側トップパネル１５０は、内側トップパネル１４０に少なくとも部分的に対面接触して重なって、カートン１００の頂壁を形成する。外側トップパネル１５０と内側トップパネル１４０とは、例えば、接着剤を用いて接合することができる。実施形態において、外側トップパネル１５０と内側トップパネル１４０とは、別の形式で、例えば、１つ以上の相互係止構造部を用いて接合することができる。
【００２７】
図示のように、端部１０７、１０９（図３）のうちの一方又は双方を閉鎖する前に、１つ以上の物品Ａをカートン１００（図３）の内部１０８に挿入することができる。カートン１００は、本開示から逸脱することなく、物品Ａを単一の層、２つ以上の層、及び／又は異なる行／列の構成（例えば、１×６、２×２、２×４、３×４、３×６、３×５×２、２×６、５×６、２×６×２、３×４×２、２×９等）にして保持するようなサイズ及び形状とすることができることが理解される。
【００２８】
図１を更に参照するとともに、加えて図３〜図６を参照すると、ブランク１０２から形成されるカートン１００の例示的な一実施形態が示されている。カートン１００は、端部フラップ１２４、１２６を第１のサイドパネル１２０に対して折り曲げ、端部フラップ１３４、１３６を第２のサイドパネル１３０に対して折り曲げ、端部フラップ１１４、１１６及び１５４、１５６をそれぞれボトムパネル１１０及び外側トップパネル１５０に対して折り曲げて、端部フラップ１１４、１５４が折り曲げられた端部フラップ１２４、１３４に少なくとも部分的に対面接触して重なるとともに、端部フラップ１１６、１５６が折り曲げられた端部フラップ１２６、１３６に少なくとも部分的に対面接触して重なるようにすることによって、図２に示されているスリーブから完全に組み立てることができる。結果として得られるカートン１００は、図示のように、横方向において第１のサイドパネル１２０と第２のサイドパネル１３０との間かつ縦方向においてボトムパネル１１０とトップパネル１４０、１５０との間に配置される、第２の閉鎖端部１０９に対向する第１の閉鎖端部１０７を画定する。閉鎖端部１０７、１０９は、例えば、接着剤を用いて、又は、タブ及びスロット機構等を用いた機械的接合によって固定することができる。実施形態において、上述された組立てステップは、本開示から逸脱することなく、異なる順序で実行することができる。
【００２９】
カートン１００は、図示のように、ボトムパネル１１０とトップパネル１４０、１５０との間に延びるカートンコーナー１８５、１８８、１９２、１９６を画定し、カートンコーナー１８５、１８８、１９２、１９６はそれぞれ、カートン１００の頂部１４４と底部１４６との間に延びるようになっている。カートンコーナー１８５は、第２のサイドパネル１３０と閉鎖端部１０９との間に延び、カートンコーナー１８８は、第１のサイドパネル１２０と閉鎖端部１０９との間に延び、カートンコーナー１９２は、第１のサイドパネル１２０と閉鎖端部１０７との間に延び、カートンコーナー１９６は、第２のサイドパネル１３０と閉鎖端部１０７との間に延びる。カートンコーナー１８５、１８８、１９２、１９６は、図示のように、カートンコーナー１８５、１８８、１９２、１９６が、例えば、垂直、直交、又は別様な尖った形状を有する第１の直角形状と、例えば、１つ以上の部分に沿って湾曲形状、丸形状、又は円弧形状を有する第２の湾曲形状との間で遷移するように、その長さに沿って変化する形状、例えば非対称的な形状を有する、非対称的なコーナーと称することができる。本明細書に記載されるように、直角形状を第１の形状又は第２の形状とすることができ、湾曲形状を第１の形状又は第２の形状のうちの他方とすることができる。本明細書に同様に記載されるように、外側トップパネル１５０のそれぞれのコーナー部分１７８、１８０、１８２、１８４及びボトムパネル１１０のそれぞれのコーナー部分１６４、１６２、１６８、１６６は、それぞれのカートンコーナー１９６、１９２、１８８、１８５に対して相補的な形状又は同様の形状を有する。物品Ａの湾曲部分がカートン１００の内部１０８（図２）に存在することにより、カートンコーナー１９６、１９２、１８８、１８５の部分の湾曲を容易にすることができる。
【００３０】
これに関して、カートンコーナー１８５は、外側トップパネル１５０の直角コーナー部分１８４からボトムパネル１１０の湾曲コーナー部分１６６まで延び、外側トップパネル１５０の直角コーナー部分１８４の近傍における又は該直角コーナー部分１８４に隣接する直角形状と、ボトムパネル１１０の湾曲コーナー部分１６６の近傍における又は該湾曲コーナー部分１６６に隣接する湾曲形状との間で遷移する。このような遷移は、第２のサイドパネル１３０と端部フラップ１３６との間に延びる複数の折り線１３７の構成によって容易になる。特に、外側トップパネル１５０の直角コーナー部分１８４の近傍における複数の折り線１３７の頂点６４は、端部フラップ１３６を複数の折り線１３７のうちの１つの折り線に沿って屈曲させて、外側トップパネル１５０の直角コーナー部分１８４の近傍における又は該直角コーナー部分１８４に隣接するカートンコーナー１８５の直角部分１８６を形成し、ボトムパネル１１０の湾曲コーナー部分１６６の近傍における又は該湾曲コーナー部分１６６に隣接する複数の折り線１３７の間のギャップは、端部フラップ１３６を複数の折り線１３７の間で屈曲させて、ボトムパネル１１０の湾曲コーナー部分１６６の近傍における又は該湾曲コーナー部分１６６に隣接するカートンコーナー１８５の湾曲部分１８７を形成する。
【００３１】
図示のように、カートンコーナー１８８は、外側トップパネル１５０の湾曲コーナー部分１８２からボトムパネル１１０の直角コーナー部分１６８まで延び、外側トップパネル１５０の湾曲コーナー部分１８２の近傍における又は該湾曲コーナー部分１８２に隣接する湾曲形状と、ボトムパネル１１０の直角コーナー部分１６８の近傍における又は該直角コーナー部分１６８に隣接する直角形状との間で遷移する。このような遷移は、第１のサイドパネル１２０と端部フラップ１２６との間に延びる複数の折り線１２７の構成によって容易になる。特に、外側トップパネル１５０の湾曲コーナー部分１８２の近傍における複数の折り線１２７の間のギャップは、端部フラップ１２６を複数の折り線１２７の間で屈曲させて、外側トップパネル１５０の湾曲コーナー部分１８２の近傍における又は該湾曲コーナー部分１８２に隣接するカートンコーナー１８８の湾曲部分１８９を形成し、ボトムパネル１１０の直角コーナー部分１６８の近傍における複数の折り線１２７の頂点６８は、端部フラップ１２６を複数の折り線１２７のうちの１つの折り線に沿って屈曲させて、ボトムパネル１１０の直角コーナー部分１６８の近傍における又は該直角コーナー部分１６８に隣接するカートンコーナー１８８の直角部分１９０を形成する。
【００３２】
図示のように、カートンコーナー１９２は、外側トップパネル１５０の直角コーナー部分１８０からボトムパネル１１０の湾曲コーナー部分１６２まで延び、外側トップパネル１５０の直角コーナー部分１８０の近傍における又は該直角コーナー部分１８０に隣接する直角形状と、ボトムパネル１１０の湾曲コーナー部分１６２の近傍における又は該湾曲コーナー部分１６２に隣接する湾曲形状との間で遷移する。このような遷移は、第１のサイドパネル１２０と端部フラップ１２４との間に延びる複数の折り線１２５の構成によって容易になる。特に、外側トップパネル１５０の直角コーナー部分１８０の近傍における又は該直角コーナー部分１８０に隣接する複数の折り線１２５の頂点７２、７４、７６、７８は、端部フラップ１２４を複数の折り線１２５のうちの１つの折り線に沿って屈曲させて、外側トップパネル１５０の直角コーナー部分１８０の近傍における又は該直角コーナー部分１８０に隣接するカートンコーナー１９２の直角部分１９３を形成し、ボトムパネル１１０の湾曲コーナー部分１６２の近傍における又は該湾曲コーナー部分１６２に隣接する複数の折り線１２５の間のギャップは、端部フラップ１２４を複数の折り線１２５の間で屈曲させて、ボトムパネル１１０の湾曲コーナー部分１６２の近傍における又は該湾曲コーナー部分１６２に隣接するカートンコーナー１９２の湾曲部分１９４を形成する。
【００３３】
図示のように、カートンコーナー１９６は、外側トップパネル１５０の湾曲コーナー部分１７８からボトムパネル１１０の直角コーナー部分１６４まで延び、外側トップパネル１５０の湾曲コーナー部分１７８の近傍における又は該湾曲コーナー部分１７８に隣接する湾曲形状と、ボトムパネル１１０の直角コーナー部分１６４の近傍における又は該直角コーナー部分１６４に隣接する直角形状との間で遷移する。このような遷移は、第２のサイドパネル１３０と端部フラップ１３４との間に延びる複数の折り線１３５の構成によって容易になる。特に、外側トップパネル１５０の湾曲コーナー部分１７８の近傍における又は該湾曲コーナー部分１７８に隣接する複数の折り線１３５の間のギャップは、端部フラップ１３４を複数の折り線１３５の間で屈曲させて、外側トップパネル１５０の湾曲コーナー部分１７８の近傍における又は該コーナー部分１７８に隣接するカートンコーナー１９６の湾曲部分１９７を形成し、ボトムパネル１１０の直角コーナー部分１６４の近傍における又は該直角コーナー部分１６４に隣接する複数の折り線１３５の頂点８２、８４、８６、８８は、端部フラップ１３４を複数の折り線１３５のうちの１つの折り線に沿って屈曲させて、ボトムパネル１１０の直角コーナー部分１６４の近傍における又は該直角コーナー部分１６４に隣接するカートンコーナー１９６の直角部分１９８を形成する。
【００３４】
カートンコーナー１８５、１８８、１９２、１９６の上記形状は、湾曲部分１８７、１８９、１９４、１９７において内方に押されると物品Ａの群が密集するので、カートン１００がより密に詰められた物品Ａ（図２）を有することを可能にする。これに関して、湾曲部分１８７、１８９、１９４、１９７が存在することで、そうでない場合にはカートン１００の内部１０８（図２）において空となる空間を減少させることができる。同時に、直角部分１８６、１９０、１９３、１９８が存在することで、物品Ａが或る程度移動することができ、例えば、輸送中の或る程度の変位及び／又は再分散又は他の移動を許容するように、物品Ａの間に依然としてクリアランスを提供しながら、物品Ａを、一様な直角又は直交コーナーを有するカートンよりもカートン１００の内部１０８（図２）に密に詰めることができるようになっている。
【００３５】
さらに、カートン１００を、必要に応じて、例えば外側コンテナーの、湾曲形状又は直角形状のいずれかを有するコーナー又は他のリセスと入れ子関係又は別様な密接係合関係になるように配向することができるように、異なる形状のカートンコーナー１８５、１８８、１９２、１９６を設けることができる。
【００３６】
加えて、湾曲部分１８７、１８９、１９４、１９７又は直角部分１８６、１９０、１９３、１９８上に又はそれらの近傍に、カートン１００の外面の印又は他の視覚的形状を異なるように配置することができ、それにより、カートン１００の印又は他の視覚的形状は、消費者の観点に基づいて異なるように現れる。例えば、カートン１００には、コーナー１８５、１８８、１９２、１９６が設けられる。コーナー１８５、１８８、１９２、１９６は、カートン１００の外縁部の周りに順に見た場合、例えばコーナー１８５から始まり第２の端部１０９に沿って進む交互の形状を有し、消費者は、カートン１００の頂部から底部に向かって眺めると、直角〜湾曲コーナー（コーナー１８５）と、湾曲〜直角コーナー（コーナー１８８）と、直角〜湾曲コーナー（コーナー１９２）と、湾曲〜直角コーナー（コーナー１９６）とを視認する。このような交互の形状は、消費者側で、カートン１００の外面に配置されている印の表示機会を高める視認断絶部又は中断部をもたらすことができる。別の例として、複数のカートン１００が互いの近傍に配置及び／又は積み重ねられる場合、上述したカートンコーナー１８５、１８８、１９２、１９６の交互の形状により、使用者が１つ以上のカートン１００の表面積を更に視認することを誘導及び／又は可能にするように、カートン１００の視覚的な一様性を可能な限り十分に低めることができる。
【００３７】
図７は、本開示の第２の例示的な実施形態に係るカートン２００（図９）を形成するために得られたブランク２０２の外面２０１の平面図である。ブランク２０２及びカートン２００は、上述したブランク１０２（図１）及びカートン１００（図３）と同様の特徴を有することができ、様々な実施形態の間で類似又は同様の特徴を示すために、類似又は同様の参照符号が使用されている。カートン２００は、複数の物品Ａ（図８）を保持するものであり、カートン２００は、本明細書で更に記載されるように、非対称な形状を有する１つ以上のコーナーを伴って構成されている。
【００３８】
ブランク２０２は、縦軸Ｌ１及び横軸Ｌ２を有する。図７に示されているように、ブランク２０２は、ボトムパネル２１０を備え、ボトムパネル２１０は、その側辺における横方向折り線２２２において、第１のサイドパネル２２０に折り曲げ可能に接続されている。ブランク２０２は、第２のサイドパネル２３０を備え、第２のサイドパネル２３０は、横方向折り線２３２において、ボトムパネル２１０の反対側の側辺に折り曲げ可能に接続されている。第１のトップパネルすなわち内側トップパネル１４０は、横方向折り線２４２において第１のサイドパネル２２０に折り曲げ可能に接続されており、外側トップパネルすなわち第２のトップパネル１５０は、横方向折り線２５２において第２のサイドパネル２３０に折り曲げ可能に接続されている。
【００３９】
図示のように、第１の端部フラップ１１４及び第２の端部フラップ１１６はそれぞれ、ボトムパネル２１０に折り曲げ可能に接続されており、第１の端部フラップ２２４及び第２の端部フラップ１２６はそれぞれ、第１のサイドパネル２２０に折り曲げ可能に接続されており、第１の端部フラップ１３４及び第２の端部フラップ２３６はそれぞれ、第２のサイドパネル２３０に折り曲げ可能に接続されており、第１の端部フラップ１５４及び第２の端部フラップ１５６はそれぞれ、外側トップパネル１５０に折り曲げ可能に接続されている。カートン２００（図３）が組み立てられると、端部フラップ１１４、２２４、１３４、１５４は、カートン１００の第１の端部２０７（図９）を閉鎖し、端部フラップ１１６、１２６、２３６、１５６は、カートン２００の第２の端部２０９（図９）を閉鎖する。本開示の代替的な実施形態によれば、カートン２００の端部２０７、２０９を少なくとも部分的に閉鎖するために、異なるフラップ構成、例えば、１つ以上の係止構造部を含むフラップ構成を用いることができる。
【００４０】
図示の実施形態において、端部フラップ１１４、２２４、１３４、１５４は、概ねブランク２０２の第１の周縁領域に沿って延び、端部フラップ１１６、１２６、２３６、１５６は、概ねブランク２０２の第２の周縁領域に沿って延びる。図示のように、端部フラップ１１４及び１１６は、それぞれの縦方向折り線２０３、２０４においてボトムパネル２１０に折り曲げ可能に接続されており、端部フラップ１５４、１５６は、それぞれの縦方向折り線２０５、２０６において外側トップパネル１５０に折り曲げ可能に接続されている。
【００４１】
図７を更に参照すると、端部フラップ２２４は、縦方向折り線２２５において第１のサイドパネル２２０に折り曲げ可能に接続されている。端部フラップ２２４は、主要部分２２１と、縦方向折り線２１１において主要部分２２１に折り曲げ可能に接続されている近位延長部２２３と、縦方向折り線２１３において近位延長部２２３に折り曲げ可能に接続されている遠位延長部２２８とを有する。
【００４２】
端部フラップ１２６は、図示のように、複数の折り線２２７によって第１のサイドパネル２２０に折り曲げ可能に接続されている。図示のように、複数の折り線２２７は、Ｖ字形折り線２１５を形成するように、ボトムパネル２１０に向けられた頂点２２９において交差する、斜め折り線２１５ａ、２１５ｂを含む。本明細書で更に記載されるように、複数の折り線２２７により、カートン２００のコーナー構造部又はコーナー２８８（図１０）の形成が容易になる。特に、Ｖ字形折り線２１５は、カートン２００のコーナー２８８を形成するブランク２０２のコーナーセクション２４２を画定することができる。図示のように、コーナーセクション２４２は、斜め折り線２１５ａにおいて第１のサイドパネル２２０に折り曲げ可能に接続されており、コーナーセクション２４２は、斜め折り線２１５ｂにおいて端部フラップ１２６に折り曲げ可能に接続されている。
【００４３】
図７を続けて参照すると、端部フラップ１３４は、複数の折り線２３５によって、第２のサイドパネル２３０に折り曲げ可能に接続されている。図示のように、複数の折り線２３５は、ボトムパネル２１０に向けられた頂点２３９を有するＶ字形折り線２１７として構成されている斜め折り線２１７ａ、２１７ｂを含む。図示のように、Ｖ字形折り線２１７は、頂点２３９において交差する斜め折り線２１７ａ、２１７ｂを含む。本明細書で更に記載されるように、複数の折り線２１７により、カートン２００のコーナー構造部又はコーナー２９６（図１２）の形成が容易になる。特に、Ｖ字形折り線２１７は、カートン２００のコーナー２９６を形成するブランク２０２のコーナーセクション２４０を画定することができる。図示のように、コーナーセクション２４０は、斜め折り線２１７ｂにおいて第２のサイドパネル２３０に折り曲げ可能に接続されており、コーナーセクション２４０は、斜め折り線２１７ａにおいて端部フラップ１３４に折り曲げ可能に接続されている。
【００４４】
図７を更に参照すると、端部フラップ２３６は、縦方向折り線２３７において第２のサイドパネル２３０に折り曲げ可能に接続されている。端部フラップ２３６は、図示のように、主要部分２３１と、縦方向折り線２１９において主要部分２３１に折り曲げ可能に接続されている近位延長部２３３と、縦方向折り線２２１において近位延長部２３３に折り曲げ可能に接続されている遠位延長部２３８とを有する。
【００４５】
ボトムパネル２１０は、図示のように、それぞれ全体として直角形状、例えば、垂直又は直交形状を有するコーナー部分２６２、２６４、２６６及び２６８を有する、ブランク２０２の略四辺形のセクションである。図示のように、コーナー部分２６６は、頂点２２９と実質的に交差し、コーナー部分２６４は、頂点２３９と実質的に交差する。
【００４６】
図７を続けて参照するととともに、加えて図８を参照すると、ブランク２０２から形成されるカートン２００（図９）の部分的な組立てが示されている。このような組立ては、ボトムパネル２１０と、第１のサイドパネル２２０と、第２のサイドパネル２３０と、内側トップパネル１４０と、外側トップパネル１５０とを折り線２２２、２３２、２４２、２５２において互いに対して折り曲げて、外側トップパネル１５０がカートン２００の頂部２４４にあり、ボトムパネル２１０がカートン２００の底部２４６にある状態で、図示のように端部が開放したスリーブを形成することを含むことができる、例示的な方法によって達成することができる。図示の構成において、外側トップパネル１５０は、内側トップパネル１４０に少なくとも部分的に対面接触して重なり、カートン２００の頂壁を形成する。外側トップパネル１５０と内側トップパネル１４０とは、例えば、接着剤を用いて接合することができる。実施形態において、外側トップパネル１５０と内側トップパネル１４０とは、別の形式で、例えば、１つ以上の相互係止構造部を用いて接合することができる。
【００４７】
図示のように、一方又は双方の端部２０７、２０９を閉鎖する前に、１つ以上の物品Ａをカートン２００（図８）の内部２０８に挿入することができる。上記カートン２００は、本開示から逸脱することなく、物品Ａを単一の層、２つ以上の層、及び／又は、異なる列／行構成（例えば、１×６、２×２、２×４、３×４、３×６、３×５×２、２×６、５×６、２×６×２、３×４×２、２×９等）にして保持するようなサイズ及び形状とすることができることが理解される。
【００４８】
図７を更に参照するとともに、加えて図９〜図１２を参照すると、ブランク２０２から形成されるカートン２００の例示的な一実施形態が示されている。カートン２００は、端部フラップ２２４、１２６を第１のサイドパネル２２０に対して折り曲げ、端部フラップ１３４、２３６を第２のサイドパネル２３０に対して折り曲げ、端部フラップ１１４、１１６及び１５４、１５６をそれぞれボトムパネル２１０及び外側トップパネル１５０に対して折り曲げて、端部フラップ１１４、１５４が折り曲げられた端部フラップ２２４、１３４に少なくとも部分的に対面接触して重なるとともに、端部フラップ１１６、１５６が折り曲げられた端部フラップ１２６、２３６に少なくとも部分的に対面接触して重なるようにすることによって、図８に示されているスリーブから完全に組み立てることができる。結果として得られるカートン２００は、図示のように、横方向において第１のサイドパネル２２０と第２のサイドパネル２３０との間かつ縦方向においてボトムパネル２１０とトップパネル１４０、１５０との間に配置される、第２の閉鎖端部２０９に対向する第１の閉鎖端部２０７を画定する。閉鎖端部２０７、２０９は、例えば、接着剤を用いて、又は、タブ及びスロット機構等を用いた機械的接合によって固定することができる。
【００４９】
端部２０７、２０９を閉鎖する過程において、端部フラップ２２４の近位延長部２２３及び遠位延長部２２８と、端部フラップ２３６の近位延長部２３３及び遠位延長部２３８は、カートン２００の内部２０８（図８）へ内方に折り曲げて、物品Ａに係合させることができる。例えば、遠位延長部２２８は、折り線２１３を中心にして折り曲げることができ、近位延長部２２３は、折り線２１１を中心にして折り曲げることができる。これに関して、近位延長部２２３及び遠位延長部２２８は、ボトムパネル２１０のコーナー部分２６２の近傍でカートン２００の内部２０８へと内方に延びて物品Ａに係合し、それにより、例えば、カートン２００内の物品Ａを固定するのを助け、カートン２００内の物品Ａを緩衝するのを助ける、及び／又は、カートン２００の１つ以上の部分を補強する。同様に、遠位延長部２３８は、折り線２２１を中心にしてカートン２００の内部２０８（図８）に折り曲げることができ、近位延長部２３３は、折り線２１９を中心にして折り曲げることができる。これに関して、近位延長部２３３及び遠位延長部２３８は、ボトムパネル２１０のコーナー部分２６８の近傍でカートン２００の内部２０８（図８）へと内方に延び、物品Ａに係合する。
【００５０】
実施形態において、上述された組立てステップは、異なる順序で実行することができる。
【００５１】
カートン２００は、図示のように、ボトムパネル２１０とトップパネル１４０、１５０との間に延びるカートンコーナー２８５、２８８、２９２、２９６を画定し、カートンコーナー２８５、２８８、２９２、２９６はそれぞれ、カートン２００の頂部２４４からカートン２００の底部２４６まで延在する。カートンコーナー２８５は、第２のサイドパネル２３０と閉鎖端部２０９との間に延び、カートンコーナー２８８は、第１のサイドパネル２２０と閉鎖端部２０９との間に延び、カートンコーナー２９２は、第１のサイドパネル２２０と閉鎖端部２０７との間に延び、カートンコーナー２９６は、第２のサイドパネル２３０と閉鎖端部２０７との間に延びる。少なくともカートンコーナー２８８及び２９６は、カートンコーナー２８８及び２９６が、その１つ以上の部分に沿って直角形状と湾曲形状との間で遷移する、すなわち、その１つ以上の部分に沿って、例えば、垂直、直交又は別様な尖った形状を有する直角形状と、例えば、湾曲形状、丸形状、又は円弧形状を有する湾曲形状との間で遷移するように、その長さに沿って変化する形状、例えば非対称的な形状を有する。本明細書に記載されるように、直角形状を第１の形状又は第２の形状とすることができ、湾曲形状を第１の形状又は第２の形状のうちの他方とすることができる。さらに、少なくともカートンコーナー２８５、２９６は、その長さに沿って、実質的に変化しない、すなわち一定の形状、例えば対称的な形状を有する。本明細書に記載されるように、外側トップパネル１５０のそれぞれのコーナー部分１７８、１８０、１８２、１８４及びボトムパネル２１０のそれぞれのコーナー部分２６４、２６２、２６６、２６８は、それぞれのカートンコーナー２９６、２９２、２８８、２８５に対して相補的な形状又は同様の形状を有する。
【００５２】
これに関して、外側トップパネル１５０の直角コーナー部分１８４からボトムパネル２１０の直角コーナー部分２６８に延びるカートンコーナー２８５は、直角コーナー部分１８４と、直角コーナー部分２６８と、折り線２３７との交差によって形成される直角形状を有する。
【００５３】
図示のように、カートンコーナー２８８は、外側トップパネル１５０の湾曲コーナー部分１８２からボトムパネル２１０の直角コーナー部分２６６まで延び、外側トップパネル１５０の湾曲コーナー部分１８２の近傍における又は該湾曲コーナー部分１８２に隣接する湾曲形状と、ボトムパネル２１０の直角コーナー部分２６６の近傍における又は該直角コーナー部分２６６に隣接する直角形状との間で遷移する。このような遷移は、第１のサイドパネル２２０と端部フラップ１２６との間に延びる複数の折り線２２７の構成によって容易になる。特に、外側トップパネル１５０の湾曲コーナー部分１８２の近傍における又は該湾曲コーナー部分１８２に隣接する複数の折り線２２７の間のギャップが、端部フラップ１２６を複数の折り線２２７の間で屈曲させて、外側トップパネル１５０の湾曲コーナー部分１８２の近傍における又は該湾曲コーナー部分１８２に隣接するカートンコーナー２８８の湾曲部分２８９を形成し、ボトムパネル２１０の直角コーナー部分２６６の近傍における又は該直角コーナー部分２６６に隣接する複数の折り線２２７の頂点２２９は、端部フラップ１２６を複数の折り線２２７のうちの１つの折り線に沿って屈曲させて、ボトムパネル２１０の直角コーナー部分２６６の近傍における又は該直角コーナー部分２６６に隣接するカートンコーナー２８８の直角部分２９０を形成する。
【００５４】
外側トップパネル１５０の直角コーナー部分１８０からボトムパネル２１０の直角コーナー部分２６２まで延びるカートンコーナー２９２は、図示のように、直角コーナー部分１８０と、直角コーナー部分２６２と、折り線２２５との交差によって形成される直角形状を有する。
【００５５】
同様に図示されているように、カートンコーナー２９６は、外側トップパネル１５０の湾曲コーナー部分１７８からボトムパネル２１０の直角コーナー部分２６４まで延び、外側トップパネル１５０の湾曲コーナー部分１７８の近傍における又は該湾曲コーナー部分１７８に隣接する湾曲形状と、ボトムパネル２１０の直角コーナー部分２６４の近傍における又は該直角コーナー部分２６４に隣接する直角形状との間で遷移する。このような遷移は、第２のサイドパネル２３０と端部フラップ１３４との間に延びる複数の折り線２３５の構成によって容易になる。特に、外側トップパネル１５０の湾曲コーナー部分１７８の近傍における又は該湾曲コーナー部分１７８に隣接する複数の折り線２３５間のギャップは、端部フラップ１３４を複数の折り線２３５の間で屈曲させて、外側トップパネル１５０の湾曲コーナー部分１７８の近傍における又は該湾曲コーナー部分１７８に隣接するカートンコーナー２９６の湾曲部分２９７を形成し、ボトムパネル２１０の直角コーナー部分２６４の近傍における又は該直角コーナー部分２６４に隣接する複数の折り線２３５の頂点２３９は、端部フラップ１３４を複数の折り線２３５のうちの１つの折り線に沿って屈曲させて、ボトムパネル２１０の直角コーナー部分２６４の近傍における又は該直角コーナー部分２６４に隣接するカートンコーナー２９６の直角部分２９８を形成する。
【００５６】
カートンコーナー２８５、２８８、２９２、２９６の上記形状は、湾曲部分２８９、２９７において内方に押されると物品Ａの群が密集するので、カートン２００がより密に詰められた物品Ａ（図８）を有することを可能にする。これに関して、湾曲部分２８９、２９７が存在することで、そうでない場合にはカートン２００の内部（図８）において空となる空間を減少させることができる。同時に、直角部分２９０、２９８及び直角コーナー２８５、２９２が存在することで、物品Ａが或る程度移動することができ、例えば、輸送中の或る程度の変位及び／又は再分散又は他の移動を許容するように、物品Ａの間に依然としてクリアランスを提供しながら、物品Ａを、一様な直角又は直交コーナーを有するカートンよりもカートン２００の内部２０８（図８）に密に詰めることができるようになっている。
【００５７】
さらに、カートン２００を、必要に応じて、例えば外側コンテナーの、湾曲形状又は直角形状のいずれかを有するコーナー又は他のリセスと入れ子関係又は別様な密接係合関係になるように配向することができるように、異なる構成のカートンコーナー２８５、２８８、２９２、２９６を設けることができる。
【００５８】
加えて、湾曲部分２８９、２９７、直角部分２９０、２９８又は直角コーナー２８５、２９２上に又はそれらの近傍に、カートン２００の外面の印又は他の視覚的形状を異なるように配置することができ、それにより、カートン２００の印又は他の視覚的形状は、消費者の観点に基づいて異なるように現れる。例えば、カートン２００には、カートン２００の外縁部の周りに順に見た場合、例えば、カートンコーナー２８５から始まり第２の端部２０９に沿って進む交互の構成を有するカートンコーナー２８５、２９０、２９２、２９６が設けられる。消費者は、カートン２００の頂部から底部に向かって眺めると、直角コーナー（コーナー２８５）と、湾曲〜直角コーナー（コーナー２８８）と、直角コーナー（コーナー２９２）と、湾曲〜直角コーナー（コーナー２９６）とを視認する。このような交互の構成により、消費者側で、カートン２００の外面に配置されている印の表示機会を高める視認断絶部又は中断部を提供することができる。別の例として、複数のカートン２００が互いの近傍に配置及び／又は積み重ねられる場合、上述したカートンコーナー２８５、２８８、２９２、２９６の交互の構成により、使用者が１つ以上のカートン２００の表面積を更に視認することを誘導及び／又は可能にするように、カートン２００の視覚的な一様性を可能な限り十分に低めることができる。
【００５９】
本開示の種々の実施形態の特徴のうちの任意のものを、本開示の範囲から逸脱することなく、本開示の他の実施形態の他の特徴と組み合わせるか、他の特徴と置き換えるか、又は他の特徴を伴って別様に構成することができる。
【００６０】
本開示に係るブランクは、例えば、コーティングされた厚紙及び同様の材料から形成することができる。例えば、ブランクの内面及び／又は外面は、クレーコーティングでコーティングすることができる。続いて、クレーコーティング上に製品、広告、価格コード、及び他の情報又は画像を印刷してもよい。続いて、ブランクに印刷されている任意の情報を保護するように、ブランクをワニスでコーティングすることができる。ブランクは、ブランクの片面又は両面を、例えば防湿層でコーティングすることもできる。
【００６１】
例示的な実施形態によれば、ブランクは、普通紙よりも重く硬質であるような厚さを有する厚紙で構築することができる。ブランクは、ボール紙、硬化紙、又は、カートンパッケージを少なくとも概ね上述したように機能させることを可能にするように適した特性を有する任意の他の材料等の他の材料で構築することもできる。ブランクは、選択されたパネル又はパネルセクションに１つ以上のシート状材料を積層又はコーティングすることもできる。
【００６２】
上記の実施形態は、糊によって互いに接着される１つ以上のパネルを有するものとして説明することができる。「糊」という用語は、カートンパネル又はフラップを適所に固定するのに一般的に用いられる全ての態様の接着剤を包含することが意図される。
【００６３】
本開示の上記の実施形態によれば、折り線は、それに沿った折り曲げを容易にする、必ずしも直線状ではないが実質的に線状の任意の弱化形態とすることができる。本明細書に記載されるように、折り線は、直線部、傾斜部、及び／又は湾曲部を含むことができる。本開示の範囲を狭めるためではないが、より詳細には、折り線は、所望の弱化線に沿って材料に圧潰部分を作る鈍いスコアリングナイフ等で形成される線等のスコア線、所望の弱化線に沿って材料に部分的に入れ込んだ切れ目、及び／又は所望の弱化線に沿って材料を部分的に貫通する一連の切れ目及び／又は材料を完全に貫通する一連の切れ目、並びにこれらの機能部の種々の組み合わせを含む。
【００６４】
一例として、引き裂き線は、所望の弱化線に沿って材料に部分的に入れ込んだスリット、及び／又は所望の弱化線に沿って材料に部分的に入れ込むか、及び／又は完全に貫通する一連の離間したスリット、又はこれらの機能部の種々の組み合わせを含むことができる。より具体的な例としては、１つのタイプの引き裂き線は、引き裂き線を挟んで材料を通常は一時的に連結するようニック（例えば、ブリッジにやや似た材料の小片）が間に画成されるように隣接するスリットを僅かに離間させた、材料を完全に貫通する一連の離間したスリットの形態である。ニックは、引き裂き時に引き裂き線に沿って破断される。ニックは通常、引き裂き線において比較的僅かな割合を占めるものであり、代替的に、引き裂き線が連続した切れ目線であるように、ニックを引き裂き線から省くことができるか、又は引き裂き線上で破っておくことができる。すなわち、引き裂き線のそれぞれを連続したスリット等で置き換えることは、本開示の範囲内にある。例えば、本開示から逸脱することなく、切れ目線は、連続したスリットとすることができるか、又はスリットよりも幅広とすることができる。
【００６５】
本開示の前述の説明は、種々の例示的な実施形態を例示及び説明するものである。本開示の趣旨及び範囲から逸脱することなく、種々の追加、変更、変形等を例示的な実施形態に対して行うことができる。上記説明に含まれるか又は添付図面に示されている全ての事項が、限定的な意味ではなく例示として解釈されることが意図される。さらに、本開示は、本開示の選択された実施形態のみを図示及び説明しているが、本開示は、種々の他の組み合わせ、変更形態、及び環境で用いることが可能であり、本明細書で述べられているような発明概念の範囲内の変形若しくは変更、上記教示と同等の変形若しくは変更、及び／又は関連技術分野の技術若しくは知識内にある変形若しくは変更を行うことが可能である。さらに、各実施形態の或る特定の機能部及び特徴を、選択的に入れ替えて、本開示の他の説明された実施形態及び説明されていない実施形態に適用することができる。
【図１】
2019531989.tif 000003
【図２】
2019531989.tif 000004
【図３】
2019531989.tif 000005
【図４】
2019531989.tif 000006
【図５】
2019531989.tif 000007
【図６】
2019531989.tif 000008
【図７】
2019531989.tif 000009
【図８】
2019531989.tif 000010
【図９】
2019531989.tif 000011
【図１０】
2019531989.tif 000012
【図１１】
2019531989.tif 000013
【図１２】
2019531989.tif 000014
【国際調査報告】
2019531989.tif 000015
2019531989.tif 000016